(57)【特許請求の範囲】
【請求項１】
接地面に光を照射する発光部、前記接地面で反射した光を受光する受光部、を有した第１筐体と、
前記第１筐体と重なった重畳状態及び前記第１筐体から展開した展開状態間を移行可能に連結され、前記重畳状態で前記発光部から前記接地面を介して前記受光部へ向かう光路を確保する貫通孔を有した、第２筺体と、を備えたマウス。
【請求項２】
前記第１筐体は、前記第１及び第２筺体の状態が前記重畳状態であるか前記展開状態であるかを検出する状態検出部を有している、請求項１のマウス。
【請求項３】
前記接地面に照射される光の輝度は、前記展開状態よりも前記重畳状態の方が大きい、請求項１又は２のマウス。
【請求項４】
前記接地面に照射される光の輝度は、該発光部への通電量を制御することにより変更される、請求項３のマウス。
【請求項５】
前記発光部は、複数の発光部を含み、
前記接地面に照射される光の輝度は、発光させる前記発光部の数を制御することにより変更される、請求項３のマウス。
【請求項６】
磁力により前記重畳状態又は前記展開状態に維持する維持部を有している、請求項１乃至５の何れかのマウス。
【請求項７】
前記維持部は、前記第１筐体側に設けられた金属片、前記第２筐体側に設けられ前記金属片との間で磁気的吸引力が生じる磁石、を含む、請求項６のマウス。
【請求項８】
請求項１乃至７の何れかのマウスと、
前記マウスによって操作可能なコンピュータと、を備えたコンピュータシステム。
【発明の詳細な説明】
【技術分野】
【０００１】
本発明は、マウス及びコンピュータシステムに関する。
【背景技術】
【０００２】
コンピュータの操作に用いられるマウスが知られている。特許文献１〜７には、変形可能なマウスが開示されている。
【先行技術文献】
【特許文献】
【０００３】
【特許文献１】特開平２−０３７４１６号公報
【特許文献２】特開２００２−３６６２９９号公報
【特許文献３】特開２００３−１２２５００号公報
【特許文献４】特開平１０−３０７６７９号公報
【特許文献５】実用新案登録３１４５３９１号公報
【特許文献６】特開平１０−１３３８１３号公報
【特許文献７】特開平７―２２２２９７号公報
【発明の概要】
【発明が解決しようとする課題】
【０００４】
マウスを操作するユーザの手の大きさは様々である。従って、操作しやすいマウスの高さも、ユーザによってそれぞれ異なる。
【０００５】
本発明は、高さを変更可能なマウス及びそれを備えたコンピュータシステムを提供することを目的とする。
【課題を解決するための手段】
【０００６】
本明細書に開示のマウスは、接地面に光を照射する発光部、前記接地面で反射した光を受光する受光部、を有した第１筐体と、前記第１筐体と重なった重畳状態及び前記第１筐体から展開した展開状態間を移行可能に連結され、前記重畳状態で前記発光部から前記接地面を介して前記受光部へ向かう光路を確保する貫通孔を有した、第２筺体と、を備えている。
【０００７】
本明細書に開示のコンピュータシステムは、上記のマウスと、上記のマウスによって操作可能なコンピュータと、を備えている。
【発明の効果】
【０００８】
高さを変更可能なマウス及びそれを備えたコンピュータシステムを提供できる。
【図面の簡単な説明】
【０００９】
【図１】図１は、実施例１のマウスを備えたコンピュータシステムの説明図である。
【図２】図２Ａ、２Ｂは、実施例１のマウスの説明図である。
【図３】図３Ａ〜３Ｃは、実施例１のマウスの説明図である。
【図４】図４は、筐体内に収納された部品の機能ブロック図である。
【図５】図５は、実施例１の変形例に係るマウスに採用された筐体内に収納された部品の機能ブロック図である。
【図６】図６は、実施例２のマウスの説明図である。
【図７】図７Ａ〜７Ｃは、実施例２のマウスの説明図である。
【図８】図８Ａ、８Ｂは、連結機構の説明図である。
【図９】図９Ａ、９Ｂは、連結機構の説明図である。
【図１０】図１０Ａ、１０Ｂは、プリント基板を支持する支持機構の説明図である。
【図１１】図１１は、実施例２の第１変形例の説明図である。
【図１２】図１２Ａ〜１２Ｄは、実施例２の第１変形例の説明図である。
【図１３】図１３は、実施例２の第２変形例の説明図である。
【図１４】図１４Ａ、１４Ｂは、実施例２の第２変形例の説明図である。
【図１５】図１５は、伸張状態でのマウスの中心の拡大図である。
【図１６】図１６Ａ、１６Ｂは、遮蔽板の説明図である。
【図１７】図１７Ａ、１７Ｂは、プリント基板ｅを支持する支持機構の説明図である。
【発明を実施するための形態】
【００１０】
以下、複数の実施例について説明する。
【実施例１】
【００１１】
実施例１のマウスを備えたコンピュータシステムについて説明する。
図１は、実施例１のマウスを備えたコンピュータシステムの説明図である。コンピュータシステムは、コンピュータ１００とマウスＡとを備えている。コンピュータ１００は、ノート型コンピュータである。コンピュータ１００は、開閉可能に連結された本体部１１０、表示部１２０を有している。本体部１１０には、キーボード１３０が設けられている。表示部１２０には、液晶ディスプレイ１４０が設けられている。マウスＡは、ケーブル１４を備えている。ケーブル１４はコンピュータ１００の本体部１１０に接続されている。マウスＡを用いてコンピュータ１００を操作することができる。マウスＡは光学式である。尚、コンピュータの例としてノート型コンピュータを示したが、デスクトップ型コンピュータであってもよい。また、マウスＡは、赤外線通信やブルートゥース通信などの無線通信によりコンピュータ１００と通信可能なものであってもよい。
【００１２】
マウスＡについて説明する。
図２Ａ〜３Ｃは、実施例１のマウスＡの説明図である。図２Ａ、２Ｂは、展開状態のマウスＡを示している。図３Ａ、３Ｂは、展開状態から重畳状態への移行過程のマウスＡを示している。図３Ｃは、重畳状態のマウスＡを示している。図２Ａは、展開状態のマウスＡの正面図であり、図２Ｂは、展開状態のマウスＡの側面図である。
【００１３】
マウスＡは、リンク３により連結された第１筐体（以下、筐体と称する）１、第２筺体（以下、筐体と称する）２を含む。展開状態では、筐体１、２は縦方向に並ぶ。筐体１、２は、それぞれ略直方体である。筐体１には、ボタン１１、１２、ホイール１３が設けられている。ケーブル１４は、筐体１に貫通している。筐体１内には、不図示のプリント基板等の電子部品が収納されている。ケーブル１４は、プリント基板に電気的に接続されている。このプリント基板には、発光部４３、受光部４５が実装されている。発光部４３は、例えばＬＥＤであるが、半導体レーザであってもよい。発光部４３は、マウスＡが接地した接地面に向かって光を照射する。発光部４３からの光は、照射された面で反射する。受光部４５は、この反射された光を受光する。これに基づいて、マウスＡの移動方向や移動量、速度が算出される。受光部４５は、例えばＣＣＤ（Ｃｈａｒｇｅ  Ｃｏｕｐｌｅｄ  Ｄｅｖｉｃｅ）などである。尚、発光部４３、受光部４５間の光路上に不図示のレンズが配置される。筐体２には、詳しくは後述するが貫通孔２８が設けられている。
【００１４】
リンク３は、筐体１、２の両側面に設けられている。リンク３は例えば金属製である。図２に示すように、リンク３には２つの長孔３１、３２が設けられている。長孔３１、３２は、同一方向に延びている。長孔３１、３２には、それぞれピン１９、２９が離脱不能に係合している。ピン１９、２９は、それぞれ筐体１、２に設けられている。
【００１５】
筐体１には、内部に金属片１５、１６を有している。筐体２は、内部に磁石２５、２６を有している。図２Ａ、２Ｂに示すように、展開状態で金属片１６、磁石２６は対向する。これにより、金属片１６、磁石２６間で磁気的吸引力が生じる。この磁力により、筐体１、２は展開状態に維持される。金属片１５、磁石２５については後述する。また、筐体１には状態検出部１７が設けられている。状態検出部１７は、マウスＡが展開状態であるか重畳状態であるかを検出するためのものである。展開状態においては、状態検出部１７は筐体２に押されている。状態検出部１７はプッシュ式のセンサである。
【００１６】
展開状態から重畳状態への移行過程について説明する。
図３Ａに示すように、金属片１６、磁石２６間に生じる磁気的吸引力に抗して、筐体１、２を離間させる。これにより、金属片１６、磁石２６は離れ、また筐体１に設けられた状態検出部１７も筐体２から離れる。状態検出部１７は、筐体１から突出した状態となる。次に、図３Ｂに示すように、筐体２を筐体１の底面側に向けて回転させる。図３Ｂでは、筐体１に対して筐体２を反時計方向に回転させる。次に、図３Ｃに示すように、筐体１の底面に筐体２を固定する。これにより、マウスＡは、筐体１、２が重なる重畳状態となる。このように、マウスＡは、展開状態よりも重畳状態の方が高くなる。
【００１７】
図３Ｃに示すように、重畳状態では金属片１５、磁石２５は対向する。金属片１５、磁石２５間では磁気的吸引力が生じる。この磁力により、筐体１、２は重畳状態に維持される。また、重畳状態では状態検出部１７は筐体２に押されていない。
【００１８】
重畳状態では、発光部４３から照射される光は貫通孔２８を通過して接地面で反射する。接地面で反射した光は、貫通孔２８を通過して受光部４５が受光する。このように、貫通孔２８は、発光部４３から接地面を介して受光部４５へと向かう光路を確保する。これにより、重畳状態においてもマウスＡを使用することができる。尚、図１Ｂ、３Ｃに示すように、発光部４３、接地面間の距離は、展開状態よりも重畳状態の方が長い。以上のように、マウスＡは高さを変更することができる。これにより、ユーザは操作しやすい高さに変更してマウスＡを使用することができる。
【００１９】
また、マウスＡは、薄型を優先させた展開状態、小型を優先させた重畳状態の何れかの状態に切り替えることができる。このため、例えばマウスＡを携帯する際に、ユーザは携帯のしやすさを考慮してマウスＡを展開状態又は重畳状態に切り替えることができる。
【００２０】
筐体１内に収納された部品の機能について説明する。
図４は、筐体１内に収納された部品の機能ブロック図である。筐体１は、状態検出部１７、発光部４３、受光部４５を制御する制御部４１を含む。制御部４１は、ＣＰＵ等により実現される。制御部４１は、筐体１内に設けられたプリント基板に実装されている。状態検出部１７の検出信号は制御部４１に出力される。これにより、制御部４１はマウスＡの状態を判断できる。制御部４１は、マウスＡの状態に応じて接地面に照射される光の輝度を、展開状態よりも重畳状態の方が大きくなるように制御する。具体的には、制御部４１は、発光部４３への通電量を制御することにより接地面へ照射される光の輝度を変更する。これにより、重畳状態においても、接地面に充分な光を照射することができる。
【００２１】
筐体２内部には、電気的な制御を必要とする部品は筐体２内に設けられていない。即ち、電気的な制御を必要とする部品は筐体１内に集約されている。具体的には、筐体１側に、ボタン１１、１２、ホイール１３、ケーブル１４、発光部４３、受光部４５、状態検出部１７が設けられている。このため、筐体１に収納された部品と筐体２に収納された部品との間で電気的な接続を確保しなくてもよい。これにより、マウスＡの製造コストを低減できる。
【００２２】
また、磁石２５、２６は筐体２内に収納されている。磁石を筐体１内に収納すると、磁力の影響により筐体１内の電子部品が影響を受ける恐れがあるからである。
【００２３】
実施例１の変形例について説明する。
図５は、実施例１の変形例に係るマウスに採用された筐体１´内に収納された部品の機能ブロック図である。筐体１´には、２つの発光部４３、４３´が配置されている。制御部４１´は、状態検出部１７からの検出信号に基づいて重畳状態であるか展開状態であるかを判断する。制御部４１´は、発光部４３、４３´のうち点灯させる発光部の数を変更することにより、接地面に照射される光の輝度を変更する。具体的には、制御部４１´は、重畳状態では発光部４３、４３´の双方を点灯させ、展開状態では発光部４３のみを点灯させる。これにより、重畳状態においても接地面に充分な光を照射することができる。
【００２４】
尚、マウスＡの状態によらずに接地面に照射される光の輝度を一定にしてもよい。具体的には、マウスＡが重畳状態の場合であっても受光部４５が受光できる程度の輝度を有した発光部４３を採用してもよい。
【００２５】
上記実施例においては、筐体１側に金属片１５、１６を設け、筐体２側に磁石２５、２６を設けたが、筐体１側に磁石を設け、筐体２側に金属片を設けてもよい。但し、筐体１内に磁石を設ける場合には、筐体１内の電子部品に悪影響を与えない位置に設ける。
【００２６】
また、筐体１側と筐体２側にそれぞれ磁石を設けてもよい。この場合、互いに異極同士が対向するように磁石を設ける必要がある。
【００２７】
また、上述した状態検出部１７はプッシュ式のものであるが、状態検出部１７の代わりに磁気センサを用いてもよい。例えば、展開状態において磁石２６に接近する筐体１内の位置に磁気センサを設けてもよい。これにより、展開状態では磁石２６が磁気センサに接近し、重畳状態では磁石２６は磁気センサから離間する。磁気センサは、磁石２６の接近、離間により出力値が変化する。この磁気センサの出力値の変化に基づいてマウスＡの状態を判別してもよい。尚、重畳状態において磁石２５に接近する筐体１内の位置に磁気センサを設けてもよい。これにより、展開状態では磁石２５は磁気センサから離間し、重畳状態では磁石２５は磁気センサに接近する。磁気センサとしては例えばホール素子である。
【実施例２】
【００２８】
実施例２のマウスＢについて説明する。
図６、７Ａ〜７Ｃは、実施例２のマウスＢの説明図である。図６は、収縮状態のマウスＢの斜視図である。図７Ａ、７Ｂは、収縮状態のマウスＢの正面図及び側面図である。図７Ｃ、７Ｄは、伸張状態でのマウスＢの正面図及び側面図である。マウスＢは、接地面の平行方向に伸縮可能である。マウスＢは、ケース５ａ、５ｂを含む。ケース５ａ、５ｂは、協働で単一の筐体を画定する。ケース５ａ、５ｂは、伸縮可能に連結されている。マウスＢは光学式である。尚、マウスＢは、無線通信によりコンピュータと通信可能なものであってもよい。ボタン５１、５２は、ケース５ａに設けられている。ケース５ａにケーブル１４が貫通している。ケース５ａ、５ｂは、マウスＢの縦方向に並んでいる。
【００２９】
図７Ｃ、７Ｄに示すように、ケース５ａ、５ｂは、連結機構６ａにより伸縮可能に連結されている。連結機構６ａは、収縮状態ではケース５ａ、５ｂ内に収納され、伸張状態でケース５ａ、５ｂから露出する。
【００３０】
連結機構６ａについて説明する。
図８Ａ、８Ｂ、９Ａ、９Ｂは連結機構６ａの説明図である。図８Ａ、９Ａは、収縮状態での連結機構６ａを示しており、図８Ｂ、９Ｂは、伸張状態での連結機構６ａを示している。図８Ａ、８Ｂは、正面からみた連結機構６ａの一部を示している。図９Ａ、９Ｂは、側面から見た連結機構６ａ周辺を示している。尚、図９Ａ、９Ｂにおいては、ケース５ａの一部を省略してある。
【００３１】
連結機構６ａは、互いに連結された連結板６１ａ、６２ａを含む。連結板６１ａ、６２ａは、それぞれ平板状である。連結板６１ａ、６２ａは、それぞれケース５ａ、５ｂに連結されている。ケース５ａに設けられた軸５ａｐは、連結板６１ａに設けられた穴に摺動回転可能に係合している。これにより、連結板６１ａはケース５ａに対して回転可能に支持されている。尚、図８Ａ，８Ｂにおいては、連結機構６ａの一方側のみを示しているが、連結機構６ａの他方側のも同様の構造が設けられている。
【００３２】
ケース５ｂに設けられた軸５ｂｐは、連結板６２ａに設けられた穴に摺動回転可能に係合している。これにより、連結板６２ａはケース５ｂに対して回転可能に支持されている。尚、図８Ａ，８Ｂにおいては、連結機構６ａの一方側のみを示しているが、連結機構６ａの他方側も同様の構造が設けられている。
【００３３】
連結板６１ａには、軸６１ａｐが設けられており、連結板６２ａに形成された穴に摺動回転可能に係合している。これにより、連結板６１ａ、６２ａは、軸６１ａｐを支点として回転可能に連結されている。尚、図８Ｂにおいては、連結機構６ａの一方側のみを示しているが、連結機構６ａの他方側も同様の構造が設けられている。
【００３４】
図８Ａ、９Ａに示すように、連結板６１ａ、６２ａは、マウスＢが収縮状態ではケース５ａ、５ｂ内で折りたたまれる。図８Ｂ、９Ｂに示すように、連結板６１ａ、６２ｂは、マウスＢが伸張状態ではケース５ａ、５ｂの隙間を遮蔽するように展開される。このようにして、ユーザの使用しやすい大きさにマウスＢの状態を変更することができる。また、伸張状態において連結機構６ａがケース５ａ、５ｂの隙間を遮蔽することにより、ユーザに使用上の違和感を与えることを防止している。また、マウスＢ内にゴミが進入することを防止している。
【００３５】
ここで、ケース５ａ、５ｂの側壁について説明する。図６、７Ｂに示すように、収縮状態では、側壁５４ａ、５４ｂは一部で重なっている。側壁５４ｂは、側壁５４ａの内側に位置している。図７Ｄに示すように伸張状態において、側壁５４ｂの大部分は露出するが、側壁５４ａ、５４ｂとの間には隙間が生じない。これにより、マウスＢ内にゴミが進入することを防止している。尚、ケース５ａ、５ｂの他方側の側壁も同様の機能を有している。
【００３６】
マウスＢ内に収納されたプリント基板８０を支持する支持機構について説明する。
図１０Ａ、１０Ｂは、プリント基板８０を支持する支持機構の説明図である。図１０Ａは、収縮状態での支持機構を示しており、図１０Ｂは、伸張状態での支持機構を示している。図１０Ａに示すように、プリント基板８０は、支持板５９上に固定されている。プリント基板８０には、不図示の発光部、受光部、これらを制御するＣＰＵ等の電子部品が実装されている。プリント基板８０、支持板５９は、剛性を有している。プリント基板８０は、例えば両面テープにより支持板５９に固定されている。支持板５９は、平板状である。支持板５９には、発光部及び受光部間の光路を確保するための穴（不図示）が設けられている。支持板５９は、例えば絶縁性を有した合成樹脂製である。支持板５９の上面にプリント基板８０が貼り付けられている。
【００３７】
支持板５９の互いに対向する２つの縁のそれぞれには、支持板５９の平面方向に延びた軸５８ａ、５８ｂが固定されている。軸５８ａ、５８ｂは、それぞれ筒５７ａ、５７ｂに挿入されている。筒５７ａ、５７ｂは、それぞれケース５ａ、５ｂの内面側に突出して設けられている。軸５８ａ、筒５７ａは相対的に軸方向に摺動可能である。同様に、軸５８ｂ、筒５７ｂは相対的に軸方向に摺動可能である。筒５７ａ、５７ｂ、軸５８ａ、５８ｂ、支持板５９、は支持機構に相当する。
【００３８】
図１０Ｂに示すように、伸張状態においては、軸５８ａから筒５７ａが離間する方向に移動し、軸５８ｂから筒５７ｂが離間する方向に移動する。これにより、プリント基板８０は収縮状態及び伸張状態の何れの状態においても支持される。尚、発光部及び受光部はプリント基板８０に実装されており、ケース５ａの低壁５５ａには発光部及び受光部間の光路を確保するための孔（不図示）が設けられている。この孔は、プリント基板８０とケース５ａとの位置関係が変動することを考慮して大きめに設定されている。これにより収縮状態及び伸張状態の何れの状態でも発光部及び受光部間の光路を確保することができる。
【００３９】
また、図１０Ａに示すように、収縮状態において、ケース５ａの低壁５５ａと、５ｂの低壁５５ｂとは一部が重なり合っている。低壁５５ｂは、低壁５５ａとの干渉を回避するために、低壁５５ｂよりも高い位置に設けられている。図１０Ｂに示すように、伸張状態においても、低壁５５ａ、５５ｂの端部が重なることにより、ケース５ａ、５ｂ間に隙間が生じることを防止している。これにより、マウスＢ内にゴミが侵入することを防止している。
【００４０】
実施例２の第１変形例について説明する。
図１１、１２Ａ〜１２Ｄは、実施例２の第１変形例の説明図である。尚、実施例２の第１変形例について、実施例２と類似の部分については類似の符号を付することにより重複する説明を省略する。図１１は、収縮状態のマウスＣの斜視図である。図１２Ａは、収縮状態のマウスＣの正面図であり、図１２Ｂは、収縮状態のマウスＣの基端部側を示している。図１２Ｃは、伸張状態のマウスＣの正面図であり、図１２Ｄは、伸張状態のマウスＣの基端部側を示している。
【００４１】
実施例２の第１変形例に係るマウスＣは、ケース５ｃ、５ｄを有している。ケース５ｃ、５ｄは、協働で単一の筐体を画定する。ボタン５１、５２は、それぞれケース５ｄ、５ｃ側に設けられている。ケース５ｃ、５ｄは、横方向に並んでいる。ケース５ｃ、５ｄは、伸縮可能に連結されている。よって、マウスＣは横方向に伸縮可能である。ケース５ｃにケーブル１４が貫通している。
【００４２】
図１２Ｄに示すように、ケース５ｃ、５ｄは、連結機構６ｃにより伸縮可能に連結されている。連結機構６ｃは、収縮状態ではケース５ｃ、５ｄ内に収納され、伸張状態でケース５ｃ、５ｄから露出する。連結機構６ｃは、伸張状態でケース５ｃ、５ｄ間の隙間を遮蔽する。連結機構６ｃは、互いに回転可能に連結された連結板６１ｃ、６２ｃを含む。連結板６１ｃ、６２ｃは、それぞれケース５ｃ、５ｄに連結されている。収縮状態では、連結板６１ｃ、６２ｃは折りたたまれてケース５ｃ、５ｄ内に収納される。伸張状態では、連結板６１ｃ、６２ｃは、ケース５ｃ、５ｄ間の隙間を遮蔽するように展開される。
【００４３】
また、図１２Ｂに示すように、収縮状態では、ケース５ｃの基端部側の側壁５４ｃと、ケース５ｄの基端部側の側壁５４ｄとは重なっている。側壁５４ｄは、側壁５４ｃの内側に位置している。図１２Ｄに示すように伸張状態において、側壁５４ｄの大部分は露出するが、側壁５４ａ、５４ｂとの間には隙間が生じない。これにより、マウスＣ内にゴミが進入することを防止している。尚、ケース５ｃ、５ｄの先端側の側壁も同様の機能を有している。
【００４４】
尚、マウスＢと同様に、マウスＣ内に収納されたプリント基板についても支持機構により支持されている。この場合、ケース５ｃ、５ｄにそれぞれ筒が形成されている。
【００４５】
実施例２の第２変形例について説明する。
図１３、１４Ａ、１４Ｂは、実施例２の第２変形例の説明図である。図１３は、収縮状態のマウスＤの斜視図である。図１４Ａは、収縮状態のマウスＤの正面図である。図１４Ｂは、伸張状態のマウスＤの正面図である。
【００４６】
実施例２の第２変形例に係るマウスＤは、ケース５ｅ〜５ｈを有している。ケース５ｅ〜５ｈは、協働で単一の筐体を画定する。ボタン５１、５２は、それぞれケース５ｇ、５ｅ側に設けられている。ケース５ｅ、５ｆは縦方向に並んでいる。ケース５ｇ、５ｈは縦方向に並んでいる。ケース５ｅ、５ｇは横方向に並んでいる。ケース５ｆ、５ｈは横方向に並んでいる。従って、マウスＤは横方向と縦方向とに伸縮可能である。ケース５ｅ、５ｆは縦方向に伸縮可能である。ケース５ｇ、５ｈは縦方向に伸縮可能である。ケース５ｅ、５ｇは縦方向と交差する横方向に伸縮可能である。ケース５ｆ、５ｈは横方向に伸縮可能である。ケーブル１４は、ケース５ｅを貫通している。ケース５ｅ〜５ｈは、それぞれ第１〜第４ケースに相当する。
【００４７】
図１４Ｂに示すように、ケース５ｅ、５ｆは、連結機構６ｅにより縦方向に伸縮可能に連結されている。ケース５ｇ、５ｈは、連結機構６ｈにより縦方向に伸縮可能に連結されている。ケース５ｅ、５ｇは、連結機構６ｇにより横方向に伸縮可能に連結されている。ケース５ｆ、５ｈは、連結機構６ｆにより横方向に伸縮可能に連結されている。連結機構６ｅ、６ｈは、第１及び第２連結機構に相当する。連結機構６ｇ、６ｆは、第３及び第４連結機構に相当する。
【００４８】
図１５は、伸張状態でのマウスＤの中心の拡大図である。連結機構６ｅは連結板６１ｅ、６２ｅを含む。連結板６１ｅ、６２ｅは、軸６１ｅｐを支点として回転可能に連結されている。連結板６１ｅは、ケース５ｅの軸５ｅｐに回転可能に支持されている。連結板６２ｅは、ケース５ｆの軸５ｆｐに回転可能に支持されている。このように連結板６１ｅ、６２ｅは、それぞれケース５ｅ、５ｆに連結さている。
【００４９】
連結機構６ｆは連結板６１ｆ、６２ｆを含む。連結板６１ｆ、６２ｆは、軸６１ｆｐを支点として回転可能に連結されている。連結板６１ｆは、ケース５ｆの軸５ｆｐに回転可能に支持されている。連結板６２ｆは、ケース５ｈの軸５ｈｐに回転可能に支持されている。このように連結板６１ｆ、６２ｆは、それぞれケース５ｆ、５ｈに連結さている。
【００５０】
連結機構６ｈは連結板６１ｈ、６２ｈを含む。連結板６１ｈ、６２ｈは、軸６１ｈｐを支点として回転可能に連結されている。連結板６１ｈは、ケース５ｇの軸５ｇｐに回転可能に支持されている。連結板６２ｈは、ケース５ｈの軸５ｈｐに回転可能に支持されている。このように連結板６１ｈ、６２ｈは、それぞれケース５ｇ、５ｈに連結さている。
【００５１】
連結機構６ｇは連結板６１ｇ、６２ｇを含む。連結板６１ｇ、６２ｇは、軸６１ｇｐを支点として回転可能に連結されている。連結板６１ｇは、ケース５ｅの軸５ｅｐに回転可能に支持されている。連結板６２ｇは、ケース５ｇの軸５ｇｐに回転可能に支持されている。このように連結板６１ｇ、６２ｇは、それぞれケース５ｅ、５ｇに連結さている。
【００５２】
図１５に示すように、伸張状態ではマウスＤの中心部分に隙間Ｏができる。この隙間Ｏは、連結機構６ｅ〜６ｈでは遮蔽することはできない。この隙間Ｏは、遮蔽板７１により遮蔽される。
【００５３】
遮蔽板７１について説明する。
図１６Ａ、１６Ｂは遮蔽板７１の説明図である。図１６Ａは、収縮状態でのマウスＤの内部構造を示しており、図１６Ｂは、伸張状態のマウスＤの内部構造を示している。支柱７３は、鉛直方向に延びている。支柱７３は、プリント基板８０ｅに形成された孔を貫通して支持板５９ｅに固定されている。支柱７３の先端にはブッシュボタン７２が固定されている。ブッシュボタン７２の先端には遮蔽板７１が固定されている。
【００５４】
ブッシュボタン７２は、ブッシュボタン７２への押下げ操作により、遮蔽板７１の高さ位置を変更する。詳細には、ブッシュボタン７２は、プッシュ式のボタンである。ブッシュボタン７２の内部には不図示のバネが収納されている。
【００５５】
図１６Ａに示すように収縮状態では、遮蔽板７１は低い位置で保持された状態でケース５ｅ〜５ｈ内に収納されている。ユーザがケース５ｅ〜５ｈをそれぞれ引き離してマウスＤを展開状態にした場合、マウスＤの正面側のケース５ｅ〜５ｈで囲まれた部分の中心に隙間Ｏが形成される。隙間Ｏからは遮蔽板７１が露出する。ユーザは、隙間Ｏを介して遮蔽板７１を押すことにより、遮蔽板７１が高い位置で保持される。これにより、図１６Ｂに示すように、遮蔽板７１の高さは、ケース５ｅ〜５ｈの頂面の高さと略一致する。これにより、隙間Ｏは遮蔽板７１が遮蔽する。これにより、隙間Ｏが生じることに伴うユーザの操作時の違和感を回避できる。また、隙間Ｏを介してマウスＤ内にゴミが浸入することを防止できる。
【００５６】
尚、図１６Ａ、１６Ｂに示すように、収縮状態において、ケース５ｅの低壁５５ｅと、ケース５ｆの低壁５５ｆとは一部が重なり合っている。低壁５５ｆは、低壁５５ｅとの干渉を回避するために、低壁５５ｅよりも高い位置に設けられている。尚、その他のケース５ｇ、５ｈのそれぞれも、収縮状態において低壁５５ｅとの干渉を回避するよう重なった低壁を有している。これにより、伸張状態において隙間が生じることを防止している。
【００５７】
プリント基板８０ｅを支持する支持機構について説明する。
図１７Ａ、１７Ｂは、プリント基板８０ｅを支持する支持機構の説明図である。図１７Ａは、収縮状態での支持機構を示しており、図１７Ｂは、伸張状態での支持機構を示している。プリント基板８０ｅは、支持板５９ｅ上に固定されている。支持板５９ｅは略矩形状である。支持板５９ｅには、４つの軸５８ｅ〜５８ｈが固定されている。軸５８ｅ〜５８ｈは、それぞれ筒５７ｅ〜５７ｈに挿入されている。筒５７ｅ〜５７ｈは、それぞれケース５ｅ〜５ｈに設けられている。これにより、４つのケース５ｅ〜５ｈが伸縮する場合であっても、プリント基板８０ｅを保持することができる。
【００５８】
以上本発明の好ましい一実施形態について詳述したが、本発明は係る特定の実施形態に限定されるものではなく、特許請求の範囲に記載された本発明の要旨の範囲内において、種々の変形・変更が可能である。
【００５９】
（付記１）
複数のケースにより画定された単一の筐体と、
前記複数のケースを伸縮可能に連結すると共に、前記複数のケースが収縮した収縮状態では前記筐体内に折畳まれ、前記複数のケースが伸張した伸張状態では前記複数のケースの隙間を遮蔽するように展開する連結機構と、を備えたマウス。
（付記２）
前記収縮状態及び前記伸張状態の何れの状態においても前記筺体内に収納されたプリント基板を支持する支持機構を備えている、付記１のマウス。
（付記３）
前記連結機構は、該マウスが配置される接地面に沿う方向に伸縮可能に前記複数のケースを連結する、付記１又は２のマウス。
（付記４）
前記複数のケースは、少なくとも第１、第２、第３、及び第４ケースを含み、
前記連結機構は、前記第１及び第２ケースを第１方向に伸縮可能に連結する第１連結機構、前記第３及び第４ケースを前記第１方向に伸縮可能に連結する第２連結機構、前記第１及び第３ケースを前記第１方向と交差する第２方向に伸縮可能に連結する第３連結機構、及び前記第２及び第４ケースを前記第２方向に伸縮可能に連結する第４連結機構、を含む、付記１乃至３の何れかのマウス。
（付記５）
前記収縮状態においては前記筐体内に収納され、前記伸張状態で露出し押されることにより前記複数のケースの隙間を遮蔽する位置まで移動するプッシュボタンを備えた、付記４のマウス。
（付記６）
付記１乃至５の何れかのマウスと、
前記マウスによって操作可能なコンピュータと、を備えたコンピュータシステム。
【符号の説明】
【００６０】
Ａ〜Ｄ  マウス
１、２  筐体
５ａ〜５ｈ  ケース
６ａ、６ｃ、６ｅ〜６ｈ  連結機構
６１ａ、６２ａ、６１ｃ、６２ｃ、６１ｅ〜６１ｈ、６２ｅ〜６２ｈ  連結板
１５、１６  金属片
１７  状態検出部
２５、２６  磁石
４１、４１´  制御部
４３、４３´  発光部
４５  受光部
５９、５９ｅ  支持板
５８ａ、５８ｂ、５８ｅ〜５８ｈ  軸
５７ａ、５７ｂ、５７ｅ〜５７ｈ  筒
７１  遮蔽板
７２  プッシュボタン
８０、８０ｅ  プリント基板
【図１】
0005447222.tif 000002
【図２】
0005447222.tif 000003
【図３】
0005447222.tif 000004
【図４】
0005447222.tif 000005
【図５】
0005447222.tif 000006
【図６】
0005447222.tif 000007
【図７】
0005447222.tif 000008
【図８】
0005447222.tif 000009
【図９】
0005447222.tif 000010
【図１０】
0005447222.tif 000011
【図１１】
0005447222.tif 000012
【図１２】
0005447222.tif 000013
【図１３】
0005447222.tif 000014
【図１４】
0005447222.tif 000015
【図１５】
0005447222.tif 000016
【図１６】
0005447222.tif 000017
【図１７】
0005447222.tif 000018